(57)【要約】【課題】交通事故等に対する慰霊を行うことができ、しかも不用意に転倒することがなく安定しており、火災の心配のない照明を可能とする。【解決手段】水、砂、石等の重しを収容可能な台座２と、台座２の上部に立設された慰霊仏、慰霊塔等からなる慰霊体３と、台座２または／及び慰霊体３に配置された太陽電池４と、太陽電池４を電源として台座２または／及び慰霊体３に外部に向かって発光する発光体５とを備える。【選択図】        図１
2004154465.tif 000002
【特許請求の範囲】
【請求項１】
水、砂、石等の重しを収容可能な台座と、台座の上部に立設された慰霊仏、慰霊塔等からなる慰霊体と、前記台座または／及び慰霊体に配置された太陽電池と、この太陽電池を電源として前記台座または／及び慰霊体に外部に向かって発光する発光体とを備えていることを特徴とする慰霊灯。
【請求項２】
前記発光体が光検知センサーに接続されることにより、昼間消灯し、夜間点灯するように制御されていることを特徴とする請求項１記載の慰霊灯。
【請求項３】
前記慰霊体の外形が観音菩薩像であることを特徴とする請求項１記載の慰霊体。
【請求項４】
前記慰霊体及び台座が合成樹脂のブロー成形によって成形されていることを特徴とする請求項１記載の慰霊体。
【請求項５】
前記発光体がＬＥＤ球であることを特徴とする請求項１または２記載の慰霊灯。
【発明の詳細な説明】
【０００１】
【発明の属する技術分野】
本発明は、交通安全、交通事故根絶等を祈願するために建立される慰霊灯に関する。
【０００２】
【従来の技術】
交通事故等によって亡くなった家族や親族の霊を弔うため、仏壇を家庭内に設けることが一般になされている。従来の仏壇では、内部に照明灯を配置して仏像や位牌等の仏具を照明することにより、慰霊を表現することが行われている（例えば、特許文献１参照）。
【０００３】
【特許文献１】
特開平９−２３１１９６号公報
【０００４】
【発明が解決しようとする課題】
しかしながら、不慮の交通事故等によって家族や親族、友人等をなくした場合においては、家庭内の仏壇だけでは慰霊が十分と感じることはまれであり、家庭内の仏壇或いは納骨墓地にお参りするのに加えて、その事故現場へお参りして慰霊を行いたい気持ちが深まって募るばかりでなく、その事故現場における交通安全や交通事故根絶を願う気持ちが深くなる。このような場合、慰霊のための生花や供物等を事故現場に供えても長持ちしないと共に、ろうそくや線香などは火災の原因となるため、観音菩薩像の建立を希望する遺族もある。
【０００５】
本発明は、このように事故現場等に建立される場合において、慰霊の気持ちをはっきりと表現することができ、しかも転倒などがなく、長期間、慰霊を行うことが可能であると共に、交通事故の防止にも役立つ慰霊灯を提供することを目的とする。
【０００６】
【課題を解決するための手段】
上記目的を達成するため、請求項１の発明は、水、砂、石等の重しを収容可能な台座と、台座の上部に立設された慰霊仏、慰霊塔等からなる慰霊体と、前記台座または／及び慰霊体に配置された太陽電池と、この太陽電池を電源として前記台座または／及び慰霊体に外部に向かって発光する発光体とを備えていることを特徴とする。
【０００７】
この発明では、慰霊仏や慰霊塔によって慰霊を行うことができる。この場合、台座が重しを収容しているため、台座上に慰霊体を立設しても安定しており、不用意に転倒することがない。また、太陽電池は太陽光によって発電を行い、発電された電力によって発光体が発光して台座や慰霊体を照明するため、霊を慰めることができ、遺族に心の安らぎを与えることができる。しかも、太陽電池が発電した電力による照明のため、商用電力が不要となると共に、ろうそく等の照明が不要となり、火災の心配が皆無となる。
【０００８】
請求項２の発明は、請求項１記載の慰霊灯であって、前記発光体が光検知センサーに接続されることにより、昼間消灯し、夜間点灯するように制御されていることを特徴とする。
【０００９】
光検知センサーが発光体を制御することにより、慰霊体や台座に対して夜間照明が行われる。これにより、霊を慰めることができるばかりでなく、道路走行中の自動車に対する注意喚起を行うことができ、交通事故の低減に寄与することができる。また、昼間は消灯しているため、太陽電池が発電した電力の蓄電を行うことができ、夜間点灯を確実に行うことができる。
【００１０】
請求項３の発明は、請求項１記載の慰霊体であって、前記慰霊体の外形が観音菩薩像であることを特徴とする。
【００１１】
このように慰霊体を観音菩薩像とすることにより、霊の慰めの意図を明確にすることができると共に、ドライバーの注意を喚起することができる。
【００１２】
請求項４の発明は、請求項１記載の慰霊体であって、前記慰霊体及び台座が合成樹脂のブロー成形によって成形されていることを特徴とする。
【００１３】
この発明のように慰霊体及び台座を合成樹脂のブロー成形によって成形することにより、複雑な外形であっても容易に成形することができ、安価に提供することができる。
【００１４】
請求項５の発明は、請求項１または２記載の慰霊灯であって、前記発光体がＬＥＤ球であることを特徴とする。
【００１５】
このように発光体としてＬＥＤ球を用いることにより、小さな電力であっても確実な照明を行うことができる。
【００１６】
【発明の実施の形態】
以下、本発明を図示する実施の形態により具体的に説明すると、図１は本発明の一実施の形態の正面図、図２は部分破断正面図、図３は平面図である。
この実施の形態の慰霊灯１は、台座２の上部に慰霊体３が立設されることにより構成されている。
【００１７】
台座２は、２段状の石座２ｂがベース台２ａ上に一体的に形成された形状となっている。ベース台２ａは道路近辺の地面上に形成された座枠（図示省略）に嵌め込まれたり、道路近辺の地面上に設置された基礎上に載置される。慰霊体３は石座２ｂの上から立設しており、これにより慰霊体３が安定した外観となっている。
【００１８】
慰霊体３は、慰霊仏、慰霊塔等の慰霊を具現化した外形に成形されている。
この実施の形態では、外形が観音菩薩像となった慰霊体３が用いられている。このように慰霊体３を観音菩薩像とすることにより、霊を慰めることができるばかりでなく、車中のドライバーの運転への注意を喚起することができる。
【００１９】
台座２及び慰霊体３は、合成樹脂のブロー成形によって形成されるものである。台座２及び慰霊体３をブロー成形によって成形することにより、複雑な形状であっても鮮明に成形することができ、商品価値が増大する。また、大量かつ迅速に生産することができるため、安価に提供することができ、大衆的な慰霊灯とすることができる。
【００２０】
ブロー成形に用いる合成樹脂としては、半透明のポリカーボネート等の硬質樹脂等を用いることができ、この樹脂に酸化チタンやカーボン等を混入した状態で成形が行われる。この場合、慰霊体３の顔部分や手掌部分、衣服部分等に対しては、成形後に塗料、着色剤を塗布してそれらの部分に対する色出しを行っても良く、成形の際に樹脂に顔料を混合してそれらの部分に対する着色を行っても良い。さらに、成形の際に蛍光顔料、畜光顔料、集光顔料等を混合しても良く、これにより後述する発光体５の光を鮮やかにして発光することができる。
【００２１】
ブロー成形によって、台座２は全体が中空状となるように成形されており、内部に水７が収容可能となっている。水７は慰霊灯１全体の重しとして機能するものであり、これにより安定した設置が可能となって風圧等による転倒を防止することができ、安全性が向上する。図１及び図３に示すように、台座２の上面には給水口８が形成されて水７の交換及び追加が可能となっている。この給水口８は、キャップ（図示省略）によって封鎖されるものである。なお、重しとしては、水７以外に小石、砂等の容易に入手可能な安価な材料を使用することができる。
【００２２】
この実施の形態においては、以上の構成に加えて、太陽電池４、発光体５及び光検知センサー６が台座２の石座２ｂ上に設けられている。
【００２３】
太陽電池４は、台座２の円周上の適宜箇所に配置されており、太陽光が入射することにより、太陽光を光電変換して発電を行う。太陽電池４によって発電された電力は、慰霊体３の内部等に配置された蓄電池（図示省略）に蓄電される。
【００２４】
発光体５は、慰霊体３の内部に位置するように台座２に固定されている。発光体５は蓄電池を介して太陽電池４に接続されており、太陽電池４を電源として太陽電池４が発電した電力により発光する。これにより、発光体５は慰霊体３を通過して外部に向って照明するように作用する。つまり、発光体５から発光した光が半透明の慰霊体３の全体を照明するため、慰霊体３がぼんやりとした光で浮き上がった状態となり、神秘感を増大させることができる。そして、この場合、発光体５としては、ＬＥＤ球を用いることができる。ＬＥＤ球は小さな電力であっても発光するため、慰霊体３の照明を確実に行うことが可能となる。
【００２５】
光検知センサー６は、台座２の上面に設けられて入射光が一定以上の光量であるか否かを検知する。すなわち、光検知センサー６は、昼間光であるか夜間光であるかを入射光量によって判別するものであり、昼間光であると判断した場合、光検知センサー６は太陽電池４及び蓄電池と発光体５との接続を遮断する。これにより、昼間の間、発光体５は発光することがない。従って、蓄電池は太陽電池４が発電した電力を蓄電することができる。一方、夜間光であると判断した場合、光検知センサー６は太陽電池４及び蓄電池と発光体５とを接続状態とする。これにより、夜間の間は、慰霊体３の照明が行われ、霊を慰めることができるばかりでなく、道路走行中のドライバーに注意喚起を行うことができ、交通事故の低減に寄与することができる。
【００２６】
このような実施の形態では、慰霊体３によって慰霊を行うことができると共に、台座２が重しを収容しているため、不用意に転倒することがなく安定した設置を行うことができる。また、太陽電池４が発電した電力によって発光体５が発光して台座２や慰霊体３を照明するため、霊を慰めることができ、遺族に心の安らぎを与えることができ、さらには太陽電池４が発電した電力による照明のため、ろうそく等の照明が不要となり、火災の心配が皆無となるばかりでなく、商用電力が不要となり、安価に用いることができる。
【００２７】
本発明は以上の実施の形態に限定されることなく種々変形が可能である。
上述した実施の形態では、観音菩薩像を慰霊体３としているが、慰霊塔その他の菩薩像であっても良い。また、発光体５としては、ＬＥＤ球以外の白色球、蛍光灯等であっても良い。太陽電池４も同様であり、慰霊体３側に配置しても良く、慰霊体３側及び台座２側の双方に配置しても良い。
【００２８】
さらに、図示例では、発光体５は慰霊体３の内部に配置しているが、慰霊体３の前側あるいは台座２と慰霊体３の双方に設置することもできる。さらにまた、太陽電池４を発光体５に直接に接続して発光させても良い。
【００２９】
【発明の効果】
以上説明したように、本発明によれば、交通事故等に対する慰霊を行うことができるばかりでなく、台座が重しを収容しているため、不用意に転倒することがなく安定しており、太陽電池によって発電された電力によって台座や慰霊体を照明するため、霊を慰めることができ、遺族に心の安らぎを与えることができ、さらには、交通事故の防止に役立つと共に、火災の心配なく使用することができる。
【図面の簡単な説明】
【図１】本発明の一実施の形態の正面図である。
【図２】一実施の形態の部分破断正面図である。
【図３】一実施の形態の平面図である。
【符号の説明】
１  慰霊灯
２  台座
３  慰霊体
４  太陽電池
５  発光体
６  光検知センサー
７  水
【図１】
2004154465.tif 000003
【図２】
2004154465.tif 000004
【図３】
2004154465.tif 000005